(57)【特許請求の範囲】
【請求項１】
複数のウェブサイトにインターネットを介して接続可能であり、前記ウェブサイトから取得した情報から所望の情報を抽出する検索サーバーであって、
前記複数のウェブサイトの中から予め選定した分野に適合したウェブサイトを検索対象サイトとして検索対象格納ファイルに格納する検索対象格納手段と、
前記検索対象格納ファイルに格納された検索対象サイトについて、各検索対象サイトのサイト構造を解析するサイト構造解析手段と、
前記各検索対象サイトを巡回し、前記解析したサイト構造に基づいて前記各検索対象サイトに記述されたサイト情報を取得するサイト情報取得手段と、
前記各検索対象サイトから取得した前記サイト情報を取得情報格納ファイルに格納するサイト情報格納手段と、
検索キーワードと検索重み付けパラメータとが格納された検索キーワード格納ファイルを有し、前記サイト情報における前記検索キーワードに対応する語句の出現回数が前記検索重み付けパラメータ以上である場合に、前記検索キーワードに関連する情報を前記取得情報格納ファイルに格納された前記サイト情報から抽出する情報抽出手段とを有することを特徴とする検索サーバー。
【請求項２】
ユーザー端末に接続されており、
前記ユーザー端末は、検索キーワードと検索重み付けパラメータとを入力するキーワード入力手段と、
前記入力された検索キーワードと検索重み付けパラメータとを前記検索サーバーへ送信するキーワード送信手段とを有し、
前記検索サーバーは、前記送信された検索キーワードと検索重み付けパラメータとを前記検索キーワード格納ファイルに格納する検索キーワード格納手段を有し、
前記ユーザー端末から入力された検索キーワードと検索重み付けパラメータとに基づいて前記情報抽出手段により抽出された前記情報を前記ユーザー端末に出力することを特徴とする請求項１に記載の検索サーバー。
【請求項３】
ユーザー端末に接続されており、
前記ユーザー端末は、検索キーワードを入力するキーワード入力手段と、
前記入力された検索キーワードと検索重み付けパラメータとを前記検索サーバーへ送信するキーワード送信手段とを有し、
前記検索サーバーは、前記送信された検索キーワードと検索重み付けパラメータとを前記検索キーワード格納ファイルに格納する検索キーワード格納手段と、
前記ユーザー端末からの要求に応じて前記取得情報格納ファイルに格納された前記サイト情報を前記ユーザー端末に配信する配信手段と、を有し、
前記ユーザー端末から入力された検索キーワードと検索重み付けパラメータとに基づいて前記情報抽出手段により抽出された前記情報を前記ユーザー端末に配信することを特徴とする請求項１に記載の検索サーバー。
【請求項４】
前記検索対象格納ファイルには、前記各検索対象サイトのドキュメントルートのＵＲＬが格納され、前記サイト構造解析手段により解析された前記各検索対象サイトのサイト構造に基づいて、前記各検索対象サイトに含まれるウェブページのＵＲＬを取得し、前記ウェブページのＵＲＬを前記検索対象格納ファイルに格納する検索対象更新手段を有していることを特徴とする請求項１記載の検索サーバー。
【請求項５】
前記選定した分野はニュースであって、前記検索対象サイトは新聞社又は放送局により構成される報道機関のウェブサイトであることを特徴とする請求項１記載の検索サーバー。
【請求項６】
検索キーワードと広告価値パラメータとを前記検索キーワード格納ファイルに格納する検索キーワード格納手段と、前記サイト情報の広告価値を評価する広告価値評価手段と、前記検索キーワードに対応する語句が出現する前記サイト情報の広告価値が前記広告価値パラメータ以上である場合に、前記検索キーワードに関連する情報を前記取得情報格納ファイルに格納された前記サイト情報から抽出する情報抽出手段とを有していることを特徴とする請求項１記載の検索サーバー。
【請求項７】
前記広告価値評価手段は、前記情報が表示される前記検索対象サイト上のページにおける広告料金に基づいて広告価値を定めることを特徴とする請求項６記載の検索サーバー。
【請求項８】
検索キーワードとニュアンスパラメータとを前記検索キーワード格納ファイルに格納する検索キーワード格納手段と、前記サイト情報のニュアンスを評価するニュアンス評価手段と、前記検索キーワードに対応する語句が出現する前記サイト情報のニュアンスが前記ニュアンスパラメータ以下である場合に、前記検索キーワードに関連する情報を前記取得情報格納ファイルに格納された前記サイト情報から抽出する情報抽出手段とを有していることを特徴とする請求項１記載の検索サーバー。
【請求項９】
前記ニュアンス評価手段は、過去に蓄積されたビッグデータ及びナレッジマネジメントに基づいて評価することを特徴とする請求項８記載の検索サーバー。
【請求項１０】
検索キーワードと検索期間パラメータとを前記検索キーワード格納ファイルに格納する検索キーワード格納手段と、前記検索キーワードに対応する語句が出現する前記サイト情報を取得したタイムスタンプが前記検索期間パラメータ内である場合に、前記検索キーワードに関連する情報を前記取得情報格納ファイルに格納された前記サイト情報から抽出する情報抽出手段とを有していることを特徴とする請求項１記載の検索サーバー。
【請求項１１】
複数のウェブサイト及びユーザー端末にインターネットを介して接続された検索サーバーを備えた検索システムであって、
前記ユーザー端末は、
検索キーワードと検索重み付けパラメータとを入力するキーワード入力手段と、前記入力された検索キーワードと検索重み付けパラメータとを前記検索サーバーへ送信するキーワード送信手段とを有し、
前記検索サーバーは、
前記複数のウェブサイトの中から予め選定した分野に適合したウェブサイトを検索対象サイトとして検索対象格納ファイルに格納する検索対象格納手段と、
前記検索対象格納ファイルに格納された検索対象サイトについて、各検索対象サイトのサイト構造を解析するサイト構造解析手段と、
前記各検索対象サイトを巡回し、前記解析したサイト構造に基づいて前記各検索対象サイトに記述されたサイト情報を取得するサイト情報取得手段と、
前記各検索対象サイトから取得した前記サイト情報に含まれる語句を、語句重み付けパラメータと共に、取得情報格納ファイルに格納するサイト情報格納手段と、
前記ユーザー端末から送信された検索キーワードと検索重み付けパラメータとを検索キーワード格納ファイルに格納する検索キーワード格納手段と、
前記検索キーワード格納ファイルに格納された検索キーワードに対応する語句を含むサイト情報のうち、前記語句重み付けパラメータが前記検索重み付けパラメータ以上である場合に、前記検索キーワードに関連するサイト情報を前記取得情報格納ファイルに格納されたサイト情報から抽出する情報抽出手段と、を有し、前記ユーザー端末から入力された検索キーワードと検索重み付けパラメータとに基づいて前記情報抽出手段により抽出されたサイト情報を前記ユーザー端末に出力することを特徴とする検索システム。
【請求項１２】
複数のウェブサイト及びユーザー端末にインターネットを介して接続された検索サーバーを備え、前記検索サーバーから抽出した情報のうち前記ユーザー端末が要求する情報を配信する検索情報配信システムであって、
前記ユーザー端末は、
検索キーワードを入力するキーワード入力手段と、前記入力された検索キーワードを前記検索サーバーへ送信するキーワード送信手段とを有し、
前記検索サーバーは、
前記複数のウェブサイトの中から予め選定した分野に適合したウェブサイトを検索対象サイトとして検索対象格納ファイルに格納する検索対象格納手段と、
前記検索対象格納ファイルに格納された検索対象サイトについて、各検索対象サイトのサイト構造を解析するサイト構造解析手段と、
前記各検索対象サイトを巡回し、前記解析したサイト構造に基づいて前記各検索対象サイトに記述されたサイト情報を取得するサイト情報取得手段と、
前記各検索対象サイトから取得した前記サイト情報に含まれる語句を、語句重み付けパラメータと共に、取得情報格納ファイルに格納するサイト情報格納手段と、
前記ユーザー端末から送信された検索キーワードと検索重み付けパラメータとを検索キーワード格納ファイルに格納する検索キーワード格納手段と、
前記検索キーワード格納ファイルに格納された検索キーワードに対応する語句を含むサイト情報のうち、前記語句重み付けパラメータが前記検索重み付けパラメータ以上である場合に、前記検索キーワードに関連するサイト情報を前記取得情報格納ファイルに格納されたサイト情報から抽出する情報抽出手段と、
前記ユーザー端末からの要求に応じて前記取得情報格納ファイルに格納された前記サイト情報を前記ユーザー端末に配信する配信手段と、を有し、
前記検索サーバーは、前記ユーザー端末から入力された検索キーワードと検索重み付けパラメータとに基づいて前記情報抽出手段により抽出されたサイト情報を前記ユーザー端末に配信することを特徴とする検索情報配信システム。
【請求項１３】
複数のウェブサイトと通信可能であると共に、ユーザー端末と通信可能な検索サーバーが実行する検索プログラムであって、
前記複数のウェブサイトの中から予め選定した分野に適合したウェブサイトを検索対象サイトとして検索対象格納ファイルに格納するステップと、
前記検索対象格納ファイルに格納された検索対象サイトについて、各検索対象サイトのサイト構造を解析するステップと、
前記各検索対象サイトを巡回し、前記解析したサイト構造に基づいて前記各検索対象サイトに記述されたサイト情報を取得するステップと、
前記各検索対象サイトから取得した前記サイト情報に含まれる語句を、語句重み付けパラメータと共に、取得情報格納ファイルに格納するステップと、
前記ユーザー端末から送信された検索キーワードと検索重み付けパラメータとを検索キーワード格納ファイルに格納するステップと、
前記検索キーワード格納ファイルに格納された検索キーワードに対応する語句を含むサイト情報のうち、前記語句重み付けパラメータが前記検索重み付けパラメータ以上である場合に、前記検索キーワードに関連するサイト情報を前記取得情報格納ファイルに格納されたサイト情報から抽出するステップと、前記抽出されたサイト情報を前記ユーザー端末に出力するステップとを、
前記検索サーバーに実行させることを特徴とする検索プログラム。
【請求項１４】
複数のウェブサイトと通信可能であると共に、ユーザー端末と通信可能な検索サーバーが実行する検索情報配信プログラムであって、
前記複数のウェブサイトの中から予め選定した分野に適合したウェブサイトを検索対象サイトとして検索対象格納ファイルに格納するステップと、
前記検索対象格納ファイルに格納された検索対象サイトについて、各検索対象サイトのサイト構造を解析するステップと、
前記各検索対象サイトを巡回し、前記解析したサイト構造に基づいて前記各検索対象サイトに記述されたサイト情報を取得するステップと、
前記各検索対象サイトから取得した前記サイト情報に含まれる語句を、語句重み付けパラメータと共に、取得情報格納ファイルに格納するステップと、
前記ユーザー端末から送信された検索キーワードと検索重み付けパラメータとを検索キーワード格納ファイルに格納するステップと、
前記検索キーワード格納ファイルに格納された検索キーワードに対応する語句を含むサイト情報のうち、前記語句重み付けパラメータが前記検索重み付けパラメータ以上である場合に、前記検索キーワードに関連するサイト情報を前記取得情報格納ファイルに格納されたサイト情報から抽出するステップと、
前記抽出されたサイト情報を前記ユーザー端末に配信するステップとを、
前記検索サーバーに実行させることを特徴とする検索情報配信プログラム。
【発明の詳細な説明】
【技術分野】
【０００１】
本発明は、インターネット上に存在するコンテンツを検索するための検索サーバー、検索システム、検索情報配信システム、検索プログラム、及び、検索情報配信プログラムに関するものである。
【背景技術】
【０００２】
近年、インターネットに接続されたコンピューター、スマートフォン等からウェブサイトにアクセスして、世界中のあらゆる情報を容易に得ることができるようになっている。
一般に、ウェブサイト及びウェブサーバーを介して入手可能な情報には、コンピューターやスマートフォン上で実行するウェブブラウザを介してアクセスする。例えば、ユーザーは、ウェブブラウザのアドレスバーにウェブサイトのＵＲＬ（ユニフォームリソースロケータ）を入力することで、ウェブサイトにアクセスすることができる。
【０００３】
実際には、ユーザーはアクセスしたいサイトのＵＲＬを知らないことが多いため、キーワードに基づいて特定のサイトを容易に探し出せるようにする検索機能を使用している。
現在、検索機能には、キーワードに関連するサイトについてＷＷＷ（ワールドワイドウェブ）全体を検索する一般の検索機能と、特定のドメインまたはサイトに限定して検索するドメイン限定検索機能とがある。
【０００４】
一般の検索機能を有する検索エンジンは、ＷＷＷ全体を検索対象とするため、検索速度が遅いという不具合があった。また、一般の検索エンジンは、ユーザーが必要とする情報が掲載されたウェブサイト以外にも無関係なウェブサイトを大量に検索結果に表示してしまうため、ユーザーはその検索結果からさらに精査をして、必要な情報を選別しなければならないという事態を生じていた。
また、ドメイン限定検索機能を有する検索エンジンは、検索速度が速い一方で、検索範囲が所定のドメインを有するサイトに限定されてしまうという不具合を生じていた。
【０００５】
そこで、例えば、特許文献１には、検索を容易にするシステムであって、項目の集まりにわたって検索を行うために、関連性によって重み付けされた前記項目の様々なサブセットにそれぞれ関連付けられている複数のサブウェブを提示する表示コンポーネントと、前記サブウェブの少なくとも１つの全体にわたる検索クエリを受信する入力コンポーネントとを備えたことを特徴とするシステムが開示されている。
【０００６】
しかしながら、特許文献１に記載の検索システムにあっては、ユーザーが検索を実行するごとにインターネットを介してサブウェブ内のサイトを検索する必要があるため、検索速度が遅くなるという不具合が生じていた。
【０００７】
特に、時事情報に関するニュースは、大手新聞社、地方新聞社、ニュース配信会社、テレビ会社等により構成される報道機関のウェブサイトに掲載される。このような様々なサイトから網羅的に、時事情報に関するニュースを正確かつ迅速に取得することは、従来の検索サイトを使用したキーワード検索では困難である。
【０００８】
また、キーワードに基づいて特定のサイトを探し出せた場合であっても、その特定のサイトにおいて、検索対象としたキーワードがどの程度の重要性をもって使用されているかどうかを判断するのは、読んではじめて分かることが多く、たとえキーワードが使用されていても見る必要性の低いサイトを検索の段階で選別することは困難であった。
【特許文献１】特開２００５−２０９２１０号公報
【発明の開示】
【発明が解決しようとする課題】
【０００９】
本発明は、以上のような従来の不具合を解決するためのものであって、その課題は、有益な情報を迅速に得ることができる検索サーバー、検索システム、検索情報配信システム、検索プログラム、及び、検索情報配信プログラムを提供することにある。
【課題を解決するための手段】
【００１０】
前記課題を解決するために、請求項１に記載の発明にあっては、複数のウェブサイトにインターネットを介して接続可能であり、前記ウェブサイトから取得した情報から所望の情報を抽出する検索サーバーであって、前記複数のウェブサイトの中から予め選定した分野に適合したウェブサイトを検索対象サイトとして検索対象格納ファイルに格納する検索対象格納手段と、前記検索対象格納ファイルに格納された検索対象サイトについて、各検索対象サイトのサイト構造を解析するサイト構造解析手段と、前記各検索対象サイトを巡回し、前記解析したサイト構造に基づいて前記各検索対象サイトに記述されたサイト情報を取得するサイト情報取得手段と、前記各検索対象サイトから取得した前記サイト情報を取得情報格納ファイルに格納するサイト情報格納手段と、検索キーワードと検索重み付けパラメータとが格納された検索キーワード格納ファイルを有し、前記サイト情報における前記検索キーワードに対応する語句の出現回数が前記検索重み付けパラメータ以上である場合に、前記検索キーワードに関連する情報を前記取得情報格納ファイルに格納された前記サイト情報から抽出する情報抽出手段とを有することを特徴とする。
【００１１】
ここで、「検索重み付けパラメータ」とは、前記検索キーワードに対応する語句が前記各検索対象サイトにおいて、どの程度の重要性で使用されているかを数値化したものであって、前記各検索対象サイトにおける前記サイト情報に含まれる語句の出現回数と比較することによって、重要性の高い検索対象サイトのみを抽出し、前記抽出した検索対象サイトから情報を取得することが可能となる。
従って、請求項１に記載の発明にあっては、前記検索対象格納手段によって、前記複数のウェブサイトの中から予め選定した分野に適合したウェブサイトを検索対象サイトとして前記検索対象格納ファイルに格納した場合には、前記検索サーバーは、前記サイト構造解析手段によって、前記検索対象格納ファイルに格納された検索対象サイトに基づいて、各検索対象サイトのサイト構造を解析し、前記サイト情報取得手段によって、前記各検索対象サイトを巡回し、前記解析したサイト構造に基づいて前記各検索対象サイトに記述されたサイト情報を取得し、前記サイト情報格納手段によって、前記各検索対象サイトから取得した前記サイト情報が取得情報格納ファイルに格納される。
その後、検索キーワードと検索重み付けパラメータとを前記検索キーワード格納ファイルに格納した場合には、前記情報抽出手段によって、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出される。
【００１２】
請求項２に記載の発明にあっては、ユーザー端末に接続されており、前記ユーザー端末は、検索キーワードと検索重み付けパラメータとを入力するキーワード入力手段と、前記入力された検索キーワードと検索重み付けパラメータとを前記検索サーバーへ送信するキーワード送信手段とを有し、前記検索サーバーは、前記送信された検索キーワードと検索重み付けパラメータとを前記検索キーワード格納ファイルに格納する検索キーワード格納手段を有し、前記ユーザー端末から入力された検索キーワードと検索重み付けパラメータとに基づいて前記情報抽出手段により抽出された前記情報を前記ユーザー端末に出力することを特徴とする。
【００１３】
従って、前記ユーザー端末において、前記キーワード入力手段によって、検索キーワードと検索重み付けパラメータとを入力した場合には、前記キーワード送信手段によって、前記入力された検索キーワードと検索重み付けパラメータとが前記検索サーバーへ送信される。
その後、前記検索サーバーにおいて、前記検索キーワード格納手段によって、前記送信された検索キーワードと検索重み付けパラメータとが前記検索キーワード格納ファイルに格納され、前記情報抽出手段によって、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出され、前記ユーザー端末に出力される。
【００１４】
請求項３に記載の発明にあっては、ユーザー端末に接続されており、前記ユーザー端末は、検索キーワードを入力するキーワード入力手段と、前記入力された検索キーワードと検索重み付けパラメータとを前記検索サーバーへ送信するキーワード送信手段とを有し、前記検索サーバーは、前記送信された検索キーワードと検索重み付けパラメータとを前記検索キーワード格納ファイルに格納する検索キーワード格納手段と、前記ユーザー端末からの要求に応じて前記取得情報格納ファイルに格納された前記サイト情報を前記ユーザー端末に配信する配信手段と、を有し、前記ユーザー端末から入力された検索キーワードと検索重み付けパラメータとに基づいて前記情報抽出手段により抽出された前記情報を前記ユーザー端末に配信することを特徴とする。
【００１５】
従って、前記ユーザー端末において、前記キーワード入力手段によって、検索キーワードと検索重み付けパラメータとを入力した場合には、前記キーワード送信手段によって、前記入力された検索キーワードと検索重み付けパラメータとが前記検索サーバーへ送信される。
その後、前記検索サーバーにおいて、前記検索キーワード格納手段によって、前記送信された検索キーワードと検索重み付けパラメータとが前記検索キーワード格納ファイルに格納され、前記情報抽出手段によって、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出される。
さらに、前記ユーザー端末から要求した場合には、前記検索サーバーにおいて、前記配信手段によって、前記情報抽出手段により抽出された前記情報が前記ユーザー端末に配信される。
【００１６】
請求項４に記載の発明にあっては、前記検索対象格納ファイルには、前記各検索対象サイトのドキュメントルートのＵＲＬが格納され、前記サイト構造解析手段により解析された前記各検索対象サイトのサイト構造に基づいて、前記各検索対象サイトに含まれるウェブページのＵＲＬを取得し、前記ウェブページのＵＲＬを前記検索対象格納ファイルに格納する検索対象更新手段を有していることを特徴とする。
【００１７】
従って、前記検索対象更新手段によって、前記各検索対象サイトのサイト構造に基づいて取得された前記各検索対象サイトに含まれるウェブページのＵＲＬが前記検索対象格納ファイルに格納される。
【００１８】
請求項５に記載の発明にあっては、前記選定した分野はニュースであって、前記検索対象サイトは新聞社又は放送局により構成される報道機関のウェブサイトであることを特徴とする。
【００１９】
従って、前記検索対象格納手段によって、ニュースの分野に適合した新聞社又は放送局により構成される報道機関のウェブサイトが検索対象サイトとして前記検索対象格納ファイルに格納される。
【００２０】
請求項６に記載の発明にあっては、検索キーワードと広告価値パラメータとを前記検索キーワード格納ファイルに格納する検索キーワード格納手段と、前記サイト情報の広告価値を評価する広告価値評価手段と、前記検索キーワードに対応する語句が出現する前記サイト情報の広告価値が前記広告価値パラメータ以上である場合に、前記検索キーワードに関連する情報を前記取得情報格納ファイルに格納された前記サイト情報から抽出する情報抽出手段とを有していることを特徴とする。
【００２１】
ここで、「広告価値パラメータ」とは、前記各検索対象サイトに掲載する広告の費用を基に、前記検索キーワードに対応する語句が出現する前記サイト情報の広告的な価値を関数化したものである。
すなわち、「広告価値パラメータ」を前記各検索対象サイトにおける前記サイト情報の広告価値と比較することによって、広告価値が高い検索対象サイトのみを抽出し、前記抽出した検索対象サイトから情報を取得することが可能となる。
従って、検索キーワードと広告価値パラメータとを前記検索キーワード格納ファイルに格納した場合には、前記広告価値評価手段によって、前記検索キーワード格納ファイルに格納された検索キーワードに対応する語句が出現する前記サイト情報の広告価値が評価され、前記情報抽出手段によって、前記検索キーワード格納ファイルに格納された検索キーワードに対応する語句が出現する前記サイト情報の広告価値が前記広告価値パラメータ以上である場合に、前記検索キーワードに関連する情報が、前記取得情報格納ファイルに格納された前記サイト情報から抽出される。
【００２２】
請求項７記載の発明にあっては、前記広告価値評価手段は、前記情報が表示される前記検索対象サイト上のページにおける広告料金に基づいて広告価値を定めることを特徴とする。
【００２３】
請求項８に記載の発明にあっては、検索キーワードとニュアンスパラメータとを前記検索キーワード格納ファイルに格納する検索キーワード格納手段と、前記サイト情報のニュアンスを評価するニュアンス評価手段と、前記検索キーワードに対応する語句が出現する前記サイト情報のニュアンスが前記ニュアンスパラメータ以下である場合に、前記検索キーワードに関連する情報を前記取得情報格納ファイルに格納された前記サイト情報から抽出する情報抽出手段とを有していることを特徴とする。
【００２４】
ここで、「ニュアンスパラメータ」とは、前記検索キーワードに対応する語句が出現する前記サイト情報のニュアンス（印象）を人工知能等のような自動システムや人間の判断により、数値化したものである。
すなわち、情報が良い内容（ｇｏｏｄ）であれば高く（プラス評価）、悪い内容（ｂａｄ）であれば低く（マイナス評価）、事実を述べただけの中立的な内容（ｎｅｕｔｒａｌ）であれば０（ゼロ評価）とするものとする。
その結果、「ニュアンスパラメータ」を前記各検索対象サイトにおける前記サイト情報のニュアンスと比較することによって、ニュアンスが低い検索対象サイトのみを抽出し、前記抽出した検索対象サイトから情報を取得することが可能となる。
従って、検索キーワードとニュアンスパラメータとを前記検索キーワード格納ファイルに格納した場合には、前記ニュアンス評価手段によって、前記検索キーワード格納ファイルに格納された検索キーワードに対応する語句が出現する前記サイト情報のニュアンスが評価され、前記情報抽出手段によって、前記検索キーワード格納ファイルに格納された検索キーワードに対応する語句が出現する前記サイト情報のニュアンスが前記ニュアンスパラメータ以下である場合に、前記検索キーワードに関連する情報が、前記取得情報格納ファイルに格納された前記サイト情報から抽出される。
【００２５】
請求項９に記載の発明にあっては、前記ニュアンス評価手段は、過去に蓄積されたビッグデータ及びナレッジマネジメントに基づいて評価することを特徴とする。
【００２６】
請求項１０に記載の発明にあっては、検索キーワードと検索期間パラメータとを前記検索キーワード格納ファイルに格納する検索キーワード格納手段と、前記検索キーワードに対応する語句が出現する前記サイト情報を取得したタイムスタンプが前記検索期間パラメータ内である場合に、前記検索キーワードに関連する情報を前記取得情報格納ファイルに格納された前記サイト情報から抽出する情報抽出手段とを有していることを特徴とする。
【００２７】
ここで、「検索期間パラメータ」とは、検索の対象とする期間を指定するための関数である。
従って、検索キーワードと検索期間パラメータとを前記検索キーワード格納ファイルに格納した場合には、前記情報抽出手段によって、前記検索キーワード格納ファイルに格納された検索キーワードに対応する語句が出現する前記サイト情報のタイムスタンプが前記検索期間パラメータ内である場合に、前記検索キーワードに関連する情報が、前記取得情報格納ファイルに格納された前記サイト情報から抽出される。
【００２８】
請求項１１に記載の発明にあっては、複数のウェブサイト及びユーザー端末にインターネットを介して接続された検索サーバーを備えた検索システムであって、前記ユーザー端末は、検索キーワードと検索重み付けパラメータとを入力するキーワード入力手段と、前記入力された検索キーワードと検索重み付けパラメータとを前記検索サーバーへ送信するキーワード送信手段とを有し、前記検索サーバーは、前記複数のウェブサイトの中から予め選定した分野に適合したウェブサイトを検索対象サイトとして検索対象格納ファイルに格納する検索対象格納手段と、前記検索対象格納ファイルに格納された検索対象サイトについて、各検索対象サイトのサイト構造を解析するサイト構造解析手段と、前記各検索対象サイトを巡回し、前記解析したサイト構造に基づいて前記各検索対象サイトに記述されたサイト情報を取得するサイト情報取得手段と、前記各検索対象サイトから取得した前記サイト情報を取得情報格納ファイルに格納するサイト情報格納手段と、前記ユーザー端末から送信された検索キーワードと検索重み付けパラメータとを検索キーワード格納ファイルに格納する検索キーワード格納手段と、前記検索キーワード格納ファイルに格納された検索キーワードに対応する語句の出現回数が前記検索重み付けパラメータ以上である場合に、前記検索キーワードに関連する情報を前記取得情報格納ファイルに格納されたサイト情報から抽出する情報抽出手段と、を有し、前記ユーザー端末から入力された検索キーワードと検索重み付けパラメータとに基づいて前記情報抽出手段により抽出された前記情報を前記ユーザー端末に出力することを特徴とする。
【００２９】
従って、前記検索対象格納手段によって、前記複数のウェブサイトの中から予め選定した分野に適合したウェブサイトを検索対象サイトとして前記検索対象格納ファイルに格納した場合には、前記検索サーバーは、前記サイト構造解析手段によって、前記検索対象格納ファイルに格納された検索対象サイトに基づいて、各検索対象サイトのサイト構造を解析し、前記サイト情報取得手段によって、前記各検索対象サイトを巡回し、前記解析したサイト構造に基づいて前記各検索対象サイトに記述されたサイト情報を取得し、前記サイト情報格納手段によって、前記各検索対象サイトから取得した前記サイト情報が取得情報格納ファイルに格納される。
その後、前記ユーザー端末において、前記キーワード入力手段によって、検索キーワードと検索重み付けパラメータとを入力した場合には、前記キーワード送信手段によって、前記入力された検索キーワードと検索重み付けパラメータとが前記検索サーバーへ送信される。
その後、前記検索サーバーにおいて、前記検索キーワード格納手段によって、前記送信された検索キーワードと検索重み付けパラメータとが前記検索キーワード格納ファイルに格納され、前記情報抽出手段によって、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出され、前記ユーザー端末に出力される。
【００３０】
請求項１２に記載の発明にあっては、複数のウェブサイト及びユーザー端末にインターネットを介して接続された検索サーバーを備え、前記検索サーバーから抽出した情報のうち前記ユーザー端末が要求する情報を配信する検索情報配信システムであって、前記ユーザー端末は、検索キーワードを入力するキーワード入力手段と、前記入力された検索キーワードを前記検索サーバーへ送信するキーワード送信手段とを有し、前記検索サーバーは、前記複数のウェブサイトの中から予め選定した分野に適合したウェブサイトを検索対象サイトとして検索対象格納ファイルに格納する検索対象格納手段と、前記検索対象格納ファイルに格納された検索対象サイトについて、各検索対象サイトのサイト構造を解析するサイト構造解析手段と、前記各検索対象サイトを巡回し、前記解析したサイト構造に基づいて前記各検索対象サイトに記述されたサイト情報を取得するサイト情報取得手段と、前記各検索対象サイトから取得した前記サイト情報を取得情報格納ファイルに格納するサイト情報格納手段と、前記ユーザー端末から送信された検索キーワードと検索重み付けパラメータとを検索キーワード格納ファイルに格納する検索キーワード格納手段と、前記検索キーワード格納ファイルに格納された検索キーワードに対応する語句の出現回数が前記検索重み付けパラメータ以上である場合に、前記検索キーワードに関連する情報を前記取得情報格納ファイルに格納されたサイト情報から抽出する情報抽出手段と、前記ユーザー端末からの要求に応じて前記取得情報格納ファイルに格納された前記サイト情報を前記ユーザー端末に配信する配信手段と、を有し、前記検索サーバーは、前記ユーザー端末から入力された検索キーワードと検索重み付けパラメータとに基づいて前記情報抽出手段により抽出された前記情報を前記ユーザー端末に配信することを特徴とする。
【００３１】
従って、前記検索対象格納手段によって、前記複数のウェブサイトの中から予め選定した分野に適合したウェブサイトを検索対象サイトとして前記検索対象格納ファイルに格納した場合には、前記検索サーバーは、前記サイト構造解析手段によって、前記検索対象格納ファイルに格納された検索対象サイトに基づいて、各検索対象サイトのサイト構造を解析し、前記サイト情報取得手段によって、前記各検索対象サイトを巡回し、前記解析したサイト構造に基づいて前記各検索対象サイトに記述されたサイト情報を取得し、前記サイト情報格納手段によって、前記各検索対象サイトから取得した前記サイト情報が取得情報格納ファイルに格納される。
その後、前記ユーザー端末において、前記キーワード入力手段によって、検索キーワードと検索重み付けパラメータとを入力した場合には、前記キーワード送信手段によって、前記入力された検索キーワードと検索重み付けパラメータとが前記検索サーバーへ送信される。
その後、前記検索サーバーにおいて、前記検索キーワード格納手段によって、前記送信された検索キーワードと検索重み付けパラメータとが前記検索キーワード格納ファイルに格納され、前記情報抽出手段によって、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出される。
さらに、前記ユーザー端末から要求した場合には、前記検索サーバーにおいて、前記配信手段によって、前記情報抽出手段により抽出された前記情報が前記ユーザー端末に配信される。
【００３２】
請求項１３に記載の発明にあっては、複数のウェブサイトと通信可能であると共に、ユーザー端末と通信可能な検索サーバーが実行する検索プログラムであって、前記複数のウェブサイトの中から予め選定した分野に適合したウェブサイトを検索対象サイトとして検索対象格納ファイルに格納するステップと、前記検索対象格納ファイルに格納された検索対象サイトについて、各検索対象サイトのサイト構造を解析するステップと、前記各検索対象サイトを巡回し、前記解析したサイト構造に基づいて前記各検索対象サイトに記述されたサイト情報を取得するステップと、前記各検索対象サイトから取得した前記サイト情報を取得情報格納ファイルに格納するステップと、前記ユーザー端末から送信された検索キーワードと検索重み付けパラメータとを検索キーワード格納ファイルに格納するステップと、前記検索キーワード格納ファイルに格納された検索キーワードに対応する語句の出現回数が前記検索重み付けパラメータ以上である場合に、前記検索キーワードに関連する情報を前記取得情報格納ファイルに格納されたサイト情報から抽出するステップと、抽出された前記情報を前記ユーザー端末に出力するステップとを、前記検索サーバーに実行させることを特徴とする。
【００３３】
従って、前記複数のウェブサイトの中から予め選定した分野に適合したウェブサイトを検索対象サイトとして前記検索対象格納ファイルに格納した場合には、前記検索サーバーにおいて、前記検索対象格納ファイルに格納された検索対象サイトに基づいて、各検索対象サイトのサイト構造を解析し、前記各検索対象サイトを巡回し、前記解析したサイト構造に基づいて前記各検索対象サイトに記述されたサイト情報を取得し、前記各検索対象サイトから取得した前記サイト情報が取得情報格納ファイルに格納される。
その後、前記ユーザー端末において、検索キーワードと検索重み付けパラメータとを入力した場合には、前記入力された検索キーワードと検索重み付けパラメータとが前記検索サーバーへ送信される。
その後、前記検索サーバーにおいて、前記送信された検索キーワードと検索重み付けパラメータとが前記検索キーワード格納ファイルに格納され、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出され、前記ユーザー端末に出力される。
【００３４】
請求項１４に記載の発明にあっては、複数のウェブサイトと通信可能であると共に、ユーザー端末と通信可能な検索サーバーが実行する検索情報配信プログラムであって、前記複数のウェブサイトの中から予め選定した分野に適合したウェブサイトを検索対象サイトとして検索対象格納ファイルに格納するステップと、前記検索対象格納ファイルに格納された検索対象サイトについて、各検索対象サイトのサイト構造を解析するステップと、前記各検索対象サイトを巡回し、前記解析したサイト構造に基づいて前記各検索対象サイトに記述されたサイト情報を取得するステップと、前記各検索対象サイトから取得した前記サイト情報を取得情報格納ファイルに格納するステップと、前記ユーザー端末から送信された検索キーワードと検索重み付けパラメータとを検索キーワード格納ファイルに格納するステップと、前記検索キーワード格納ファイルに格納された検索キーワードに対応する語句の出現回数が前記検索重み付けパラメータ以上である場合に、前記検索キーワードに関連する情報を前記取得情報格納ファイルに格納された前記サイト情報から抽出するステップと、抽出された前記情報を前記ユーザー端末に配信するステップとを、前記検索サーバーに実行させることを特徴とする。
【００３５】
従って、前記複数のウェブサイトの中から予め選定した分野に適合したウェブサイトを検索対象サイトとして前記検索対象格納ファイルに格納した場合には、前記検索サーバーにおいて、前記検索対象格納ファイルに格納された検索対象サイトに基づいて、各検索対象サイトのサイト構造を解析し、前記各検索対象サイトを巡回し、前記解析したサイト構造に基づいて前記各検索対象サイトに記述されたサイト情報を取得し、前記各検索対象サイトから取得した前記サイト情報が取得情報格納ファイルに格納される。
その後、前記ユーザー端末において、検索キーワードと検索重み付けパラメータとを入力した場合には、前記入力された検索キーワードと検索重み付けパラメータとが前記検索サーバーへ送信される。
その後、前記検索サーバーにおいて、前記送信された検索キーワードと検索重み付けパラメータとが前記検索キーワード格納ファイルに格納され、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出される。
さらに、前記ユーザー端末から要求した場合には、前記検索サーバーにおいて、抽出された前記サイト情報が前記ユーザー端末に配信される。
【発明の効果】
【００３６】
請求項１及び２に記載の検索サーバー、請求項１１に記載の検索システム、請求項１３に記載の検索プログラムにあっては、前記複数のウェブサイトの中から予め選定した分野に適合したウェブサイトを検索対象サイトとして前記検索対象格納ファイルに格納した場合には、前記検索サーバーは、前記検索対象格納ファイルに格納された検索対象サイトに基づいて、各検索対象サイトのサイト構造を解析し、前記各検索対象サイトを巡回し、前記解析したサイト構造に基づいて前記各検索対象サイトに記述されたサイト情報を取得し、前記各検索対象サイトから取得した前記サイト情報が取得情報格納ファイルに格納されるので、前記各検索対象サイトに記述されたサイト情報を予め前記検索サーバーの前記取得情報格納ファイルに格納しておくことができる。
その後、検索キーワードと検索重み付けパラメータとを前記検索キーワード格納ファイルに格納した場合には、前記検索キーワード格納ファイルに格納された検索キーワードに対応する語句の出現回数が前記検索重み付けパラメータ以上である場合に、前記検索キーワードに関連する情報が、前記取得情報格納ファイルに格納された前記サイト情報から抽出されるので、前記複数のウェブサイトの中から予め選定した分野に適合したウェブサイトに限定すると共に、前記検索キーワードに対応する語句の出現回数が前記検索重み付けパラメータ以上のウェブサイトに限定して検索することができる。
従って、従来の一般の検索エンジンにあっては、無関係なウェブサイトを大量に検索結果に表示してしまうため、ユーザーはその検索結果からさらに精査をして、必要な情報を選別しなければならないという事態を生じていたのに対し、請求項１及び２に記載の検索サーバー、請求項１１に記載の検索システム、請求項１３に記載の検索プログラムにあっては、前記事態を生じることがなく、その結果、有益な情報を正確かつ迅速に得ることができる。
また、前記検索キーワードに関連する情報は、前記検索サーバーに格納された前記取得情報格納ファイルに格納された前記サイト情報から抽出されるので、検索する毎に前記各検索対象サイトを巡回する必要がなく、有益な情報をさらに迅速に得ることができる。
特に、前記検索キーワードに対応する語句の出現回数が前記検索重み付けパラメータ以上のウェブサイトに限定して検索することができるので、検索キーワードが使用されていても見る必要性の低いサイトを検索の段階で予め排除することができ、その結果、有益な情報をさらに正確に得ることができる。
【００３７】
請求項３に記載の検索サーバー、請求項１２に記載の検索情報配信システム、請求項１４に記載の検索情報配信プログラムにあっては、前記ユーザー端末から要求した場合には、前記情報抽出手段により抽出された情報が前記ユーザー端末に配信されるので、ユーザーが能動的に検索することなく、前記検索キーワードに関連する情報を得ることができる。
具体的には、例えば、ある特定の会社の動向を調べるために、当該特定の「会社名」を検索キーワードとして入力した場合には、予め選定した分野に適合したウェブサイトに記載された、その会社に関する評判等の最新情報を１時間ごとに自動的に配信することができる。
【００３８】
請求項４に記載の検索サーバーにあっては、前記検索対象更新手段によって、前記各検索対象サイトのサイト構造に基づいて取得された前記各検索対象サイトに含まれるウェブページのＵＲＬが前記検索対象格納ファイルに格納されるので、前記各検索対象サイトのサイト構造を再び解析することなく、前記サイト情報取得手段によって、前記各検索対象サイトに記述されたサイト情報を取得することができる。
また、前記各検索対象サイトのウェブサイトの更新等により、前記各検索対象サイトのサイト構造が変更された場合であっても、前記検索対象格納ファイルに格納されている前記各検索対象サイトのドキュメントルートのＵＲＬに基づいて、再び前記サイト構造解析手段により前記各検索対象サイトのサイト構造が解析され、前記検索対象更新手段によって、変更後の各検索対象サイトのサイト構造に基づいて取得された前記各検索対象サイトに含まれるウェブページのＵＲＬが前記検索対象格納ファイルに格納されるので、変更後の前記各検索対象サイトを巡回し、前記各検索対象サイトに記述されたサイト情報を確実に取得することができる。
【００３９】
請求項５に記載の検索サーバーにあっては、前記検索対象格納手段によって、ニュースの分野に適合した新聞社又は放送局により構成される報道機関のウェブサイトが検索対象サイトとして前記検索対象格納ファイルに格納されるので、ユーザーは前記報道機関のウェブサイトに限定して検索することができる。
その結果、請求項５に記載の検索システムにあっては、大手新聞社、地方新聞社、ニュース配信会社、テレビ会社等により構成される報道機関のウェブサイトに掲載された時事情報に関するニュースを、このような様々なサイトから網羅的に正確かつ迅速に取得することができる。
【００４０】
請求項６に記載の検索サーバーにあっては、検索キーワードと広告価値パラメータとを前記検索キーワード格納ファイルに格納した場合には、前記広告価値評価手段によって、前記検索キーワード格納ファイルに格納された検索キーワードに対応する語句が出現する前記サイト情報の広告価値が評価され、前記情報抽出手段によって、前記検索キーワード格納ファイルに格納された検索キーワードに対応する語句が出現する前記サイト情報の広告価値が前記広告価値パラメータ以上である場合に、前記検索キーワードに関連する情報が、前記取得情報格納ファイルに格納された前記サイト情報から抽出される。
その結果、前記検索キーワードに関連する情報の内、前記サイト情報の広告価値が高い、すなわち記事への信頼性が高い情報に限定して検索することができる。
【００４１】
請求項７に記載の検索サーバーにあっては、前記広告価値評価手段は、前記情報が表示される前記検索対象サイト上のページにおける広告料金に基づいて広告価値を定めるので、広告価値を客観的な基準に基づいて評価することができる。
【００４２】
請求項８に記載の検索サーバーにあっては、検索キーワードとニュアンスパラメータとを前記検索キーワード格納ファイルに格納した場合には、前記ニュアンス評価手段によって、前記検索キーワード格納ファイルに格納された検索キーワードに対応する語句が出現する前記サイト情報のニュアンスが評価され、前記情報抽出手段によって、前記検索キーワード格納ファイルに格納された検索キーワードに対応する語句が出現する前記サイト情報のニュアンスが前記ニュアンスパラメータ以下である場合に、前記検索キーワードに関連する情報が、前記取得情報格納ファイルに格納された前記サイト情報から抽出される。
その結果、例えば、ある特定の「会社名」を検索キーワードとして入力した場合には、ウェブサイトに記載されたその会社に関する評判等の情報の内、ニュアンスの低い情報、すなわちその会社にとって悪い情報に限定して検索することができる。従って、検索された情報を基にその会社の企業価値やブランディング、リスク管理を行なうことができる。
【００４３】
請求項９に記載の検索サーバーにあっては、前記ニュアンス評価手段は、過去に蓄積されたビッグデータ及びナレッジマネジメントに基づいて評価するので、ニュアンスを自動的に、かつ、客観的に評価することができる。
【００４４】
請求項１０に記載の検索サーバーにあっては、検索キーワードと検索期間パラメータとを前記検索キーワード格納ファイルに格納した場合には、前記情報抽出手段によって、前記検索キーワード格納ファイルに格納された検索キーワードに対応する語句が出現する前記サイト情報のタイムスタンプが前記検索期間パラメータ内である場合に、前記検索キーワードに関連する情報が、前記取得情報格納ファイルに格納された前記サイト情報から抽出されるので、特定の期間に限定して検索することができる。その結果、古い情報やリンク切れの情報を除外して、最新の情報のみを抽出することができ、高い精度で検索することができる。
【図面の簡単な説明】
【００４５】
【図１】図１は、本発明に係る検索サーバー及び検索情報配信システムの一実施の形態を示すブロック図である。
【図２】図２は、本発明に係る検索サーバー及び検索情報配信システムの一実施の形態において、検索サーバー及び検索情報配信システムの動作を示す模式図である。
【図３】図３は、本発明に係る検索サーバーの一実施の形態において、検索サーバー内のデータベースの構成を示すブロック図である。
【図４】図４は、本発明に係る検索サーバー及び検索情報配信システムの一実施の形態において、検索サーバー及び検索情報配信システムにおける処理の流れを示すフローチャートである。
【図５】図５は、本発明に係る検索サーバー及び検索情報配信システムの一実施の形態において、ユーザー端末における検索画面を表す模式図である。
【発明を実施するための最良の形態】
【００４６】
以下、添付図面に示す実施の形態に基づき、本発明を詳細に説明する。
（１）本実施の形態に係る検索情報配信システムの構成
図１及び図２に示すように、本発明の一実施の形態に係る検索情報配信システム１０は、複数のウェブサイト１１、１１・・・及びユーザー端末１２にインターネット１３を介して接続された検索サーバー１４を備えている。
なお、図１では、作図の都合により検索サーバー１４及びウェブサイト１１、１１・・・を接続するインターネット１３と、検索サーバー１４及びユーザー端末１２、１２・・・を接続するインターネット１３とを個別のものとして描いているが、両者は同一のものである。
【００４７】
図１に示すように、本実施の形態に係るユーザー端末１２は、検索キーワードと検索重み付けパラメータとを入力するキーワード入力手段１５と、入力された検索キーワードと検索重み付けパラメータとを検索サーバー１４へ送信するキーワード送信手段１６とを有している。
図１及び図２に示すように、本実施の形態に係る検索サーバー１４は、ウェブサイト１１、１１・・・を巡回してサイト情報を取得する情報取得部１７と、取得したサイト情報から検索キーワードに関するサイト情報を抽出する情報検索部１８と、検索対象サイト、取得したサイト情報及び検索キーワードを格納するデータベース１９と、検索対象サイトのサイト構造を更新する検索対象更新手段２０とを有している。
また、図１に示すように、本実施の形態に係る検索サーバー１４は、ウェブサイト１１、１１・・・をインターネット１３経由で接続するウェブサイト接続手段２１と、ユーザー端末１２、１２・・・をインターネット１３経由で接続するユーザー端末接続手段２２とを有している。
【００４８】
図３に示すように、本実施の形態に係るデータベース１９は、ウェブサイト１１、１１・・・のＵＲＬを格納する検索対象格納ファイル２３と、ウェブサイト１１、１１・・・から取得したサイト情報を格納する取得情報格納ファイル２４と、検索キーワードと検索重み付けパラメータとを格納する検索キーワード格納ファイル２５とを有している。
【００４９】
図１に示すように、本実施の形態に係る情報取得部１７は、複数のウェブサイト１１、１１・・・の中から予め選定した分野に適合したウェブサイトを検索対象サイト１１ａ、１１ａ・・・として、データベース１９内の検索対象格納ファイル２３に格納する検索対象格納手段２６と、検索対象格納ファイル２３に格納された検索対象サイト１１ａ、１１ａ・・・について、各検索対象サイト１１ａ、１１ａ・・・のサイト構造を解析するサイト構造解析手段２７と、各検索対象サイト１１ａ、１１ａ・・・を巡回し、解析したサイト構造に基づいて各検索対象サイト１１ａ、１１ａ・・・に記述されたサイト情報を取得するサイト情報取得手段２８と、各検索対象サイト１１ａ、１１ａ・・・から取得したサイト情報を取得情報格納ファイル２４に格納するサイト情報格納手段２９と、を有している。
【００５０】
また、図１に示すように、本実施の形態に係る情報検索部１８は、ユーザー端末１２、１２・・・から送信された検索キーワードと検索重み付けパラメータとを検索キーワード格納ファイル２５に格納する検索キーワード格納手段３０と、検索キーワード格納ファイル２５に格納された検索キーワードに対応する語句の出現回数が検索重み付けパラメータ以上である場合に、検索キーワードに関連する情報を取得情報格納ファイル２４に格納されたサイト情報から抽出する情報抽出手段３１と、ユーザー端末１２、１２・・・からの要求に応じて取得情報格納ファイル２４に格納されたサイト情報をユーザー端末１２、１２・・・に配信する情報配信手段３２と、サイト情報の広告価値を評価する広告価値評価手段３３と、サイト情報のニュアンスを評価するニュアンス評価手段３４とを有している。
【００５１】
図１に示すように、本実施の形態に係る検索対象格納手段２６は、インターネット１３に接続された多数のウェブサイト１１、１１・・・を網羅的に調査して予め選定した分野に適合した検索対象サイト１１ａ、１１ａ・・・のドキュメントルートのＵＲＬを格納する。
ここでドキュメントルートとは、ウェブサイトが設置されたサーバーにアクセスした際の最上位フォルダ／ディレクトリを指す概念である。
【００５２】
また、本実施の形態においては、検索対象サイト１１ａ、１１ａ・・・として、ニュースに関する報道機関のウェブサイトのＵＲＬを格納する。
このようなサイトの抽出については、予めニュースサイトと判断されるサイトを選定しておいたリストによる他、自動的にウェブサイトを巡回して新たな検索対象サイトを検出することにより行うことができる。また、オペレーターによる判断によって行うことができる。
【００５３】
また、報道機関のウェブサイトとしては、大手新聞社、地方新聞社、ニュース配信会社、テレビ局、ラジオ局、ポータルサイト、ニュースまとめサイト等が挙げられる。これらのサイトは定期的に選定を見直すことが望ましい。
【００５４】
本実施の形態に係るサイト構造解析手段２７は、検索対象格納ファイル２３に格納された各検索対象サイト１１ａ、１１ａ・・・のドキュメントルートのＵＲＬに基づいて各検索対象サイト１１ａ、１１ａ・・・にアクセスし、検索対象サイト１１ａ、１１ａ・・・の構造を解析する。
解析は、対象とする検索対象サイトのサイトマップに基づいて行うことの他、対象とする検索対象サイトを自動的又はオペレーターによって判断することにより行う。このようなサイトの構造解析は、定期的又は随時行い、検索対象サイトの最新の構造を取得しておく。なお、構造の解析は、構造が定型であれば、ソフトウエアにより自動的に行う。また、定型でないものについては個別に解析を行う。
【００５５】
図１及び図２に示すように、本実施の形態に係る検索対象更新手段２０は、サイト構造解析手段２７により解析された各検索対象サイト１１ａ、１１ａ・・・のサイト構造に基づいて、各検索対象サイト１１ａ、１１ａ・・・に含まれるウェブページのＵＲＬを取得し、ウェブページのＵＲＬを検索対象格納ファイル２３に格納する。
従って、検索対象格納ファイル２３には、当初、検索対象サイト１１ａ、１１ａ・・・のドキュメントルートのＵＲＬのみ（例えば、http://www.xxx.yyy/）が格納されていたのに対して、サイト構造解析手段２７が各検索対象サイト１１ａ、１１ａ・・・のサイト構造を解析した後は、検索対象格納ファイル２３にはドキュメントルートのＵＲＬに加えて、各検索対象サイト１１ａ、１１ａ・・・に含まれるウェブページのＵＲＬ（例えば、http://www.xxx.yyy/page1.html、http://www.xxx.yyy/page2.html、・・・）が格納される。
その結果、サイト構造解析手段２７によって解析された検索対象サイト１１ａ、１１ａ・・・のサイト構造が、各検索対象サイト１１ａ、１１ａ・・・に含まれるウェブページのＵＲＬとして、検索対象格納ファイル２３に格納されることになる。
【００５６】
図１に示すように、本実施の形態に係るサイト情報取得手段２８は、検索対象サイト１１ａ、１１ａ・・・の全てを定期的、例えば１時間に１回、又は必要に応じて随時巡回し、巡回した検索対象サイト１１ａ、１１ａ・・・に記述された新規サイト情報を収集する。
本実施の形態においては、各巡回に際して、各検索対象サイト１１ａ、１１ａ・・・に新たなサイト情報が記述されているかを、検索対象格納ファイル２３に格納された各検索対象サイト１１ａ、１１ａ・・・に含まれるウェブページのＵＲＬに基づいて取得していくことができる。
【００５７】
このような巡回は自動的に行われ、新規サイト情報の収集は、新規であるとして記述されているものを取得する他、前回の巡回時の記録と比較して異なる内容のものを取得することができる。また、巡回の頻度は検索対象サイトにおける更新の頻度に応じて変更することができる。
【００５８】
図３に示すように、本実施の形態に係るサイト情報格納手段２９は、取得したサイト情報を、検索対象サイトにおける記述時刻、収集時刻、検索キーワード等に基づいて検索可能に整理した状態で取得情報格納ファイル２４に格納する。サイト情報の格納形式は、必要に応じて適宜選択することができる。データ量がなるべく少なく効率的に格納でき、迅速に検索できる形式が望ましい。
【００５９】
図１に示すように、本実施の形態に係る検索キーワード格納手段３０は、ユーザー端末１２、１２・・・から送信された検索キーワードと検索重み付けパラメータとを検索キーワード格納ファイル２５に格納する。
例えば、図５に示すように、ユーザー端末１２において、キーワード入力フォーム３６に「原発（３）」と入力された場合には、検索キーワード格納手段３０は、検索キーワードが「原発」、検索重み付けパラメータが「３」であると判断して検索キーワード格納ファイル２５に格納する。
【００６０】
図１に示すように、本実施の形態に係る情報抽出手段３１は、検索キーワード格納ファイル２５に格納された検索キーワードと検索重み付けパラメータとに基づいて取得情報格納ファイル２４を検索する。このとき、検索対象サイトに記述された時期、サイト情報が取得された時期を選択することができる。選択できる時期は任意であり、一定期間前から現在まで、過去における一定期間等が指定できる。
【００６１】
特に、本実施の形態に係る情報抽出手段３１は、取得情報格納ファイル２４内において、検索キーワードに対応する語句を含むサイト情報のうち、当該語句の出現回数と、検索キーワード格納ファイル２５に格納された検索重み付けパラメータとを比較する。
その結果、当該語句の出現回数が検索重み付けパラメータ以上の値を有している場合には、当該サイト情報を抽出する。一方、当該語句の出現回数が検索重み付けパラメータ未満の値であった場合には、当該サイト情報を抽出しない。
例えば、検索キーワード格納ファイル２５には検索キーワード「原発」、検索重み付けパラメータ「３」が格納され、取得情報格納ファイル２４に格納されたサイト情報として、検索対象サイトα（http://www.xxx.yyy/page1.html）及び検索対象サイトβ（http://www.xxx.yyy/page2.html）が格納されているとする。
ここで、検索対象サイトα（http://www.xxx.yyy/page1.html）には、語句「原発」が「５」回出現し、検索対象サイトβ（http://www.xxx.yyy/page2.html）には、語句「原発」が「２」回出現しているものとする。
この場合、まず検索キーワード「原発」を含む検索対象サイトα及びβが抽出され、夫々のサイトにおける「原発」の出現回数と、検索重み付けパラメータとを比較することになる。
その結果、検索対象サイトαでは、「原発」の出現回数が「５」であり、検索重み付けパラメータの「３」以上であることから、検索対象サイトαのサイト情報は抽出される。
一方、検索対象サイトβでは、「原発」の出現回数が「２」であり、検索重み付けパラメータの「３」未満であることから、検索対象サイトβのサイト情報は抽出されない。
【００６２】
図１に示すように、本実施の形態に係る情報配信手段３２は、ユーザー端末１２にデータベース１９内の取得情報格納ファイル２４に格納されたサイト情報を配信する。情報配信手段３２は、ユーザー端末１２から送信された検索キーワードに関する情報を取得した場合、その旨、及びその情報をユーザー端末１２に配信することができる。この場合も情報取得を行う任意の期間、即ち現在から特定日時まで、未来の一定期間等の指定ができる。
【００６３】
また、図１に示すように、広告価値評価手段３３は、情報、例えば商品についてのニュースの広告価値を評価する。評価は、ニュースの掲載サイトの広告換算値に基づいて行われる。広告換算値は、例えば当該ニュースが表示されているページにおける広告掲載料金を参考にして決定することができる。広告掲載料金が高い大手新聞サイトの第１面に情報が記述されている場合には、広告換算値が大きく、広告価値が高くなる。
【００６４】
また、図１に示すように、ニュアンス評価手段３４は、情報のニュアンス（印象）を評価する。この評価は、情報、例えば商品や会社についての記述が良い内容（ｇｏｏｄ）であれば高く（プラス評価）、悪い内容（ｂａｄ）であれば低く（マイナス評価）、事実を述べただけの中立的な内容（ｎｅｕｔｒａｌ）であれば０（ゼロ評価）とするものとする。
【００６５】
ニュアンス評価は、過去に蓄積されたビッグデータ及びナレッジマネジメントに基づいて自動的に行うことができる。この場合には、過去に蓄積した膨大な記事についてのデータに基づいてその傾向を計算する。また、オペレーターの判断により評価を行うことができる。
【００６６】
図５は、本実施の形態に係るユーザー端末１２において、検索画面を表す模式図である。
図５に示すように、期間選択メニュー３５は、検索対象サイトに記述された時期、サイト情報が取得された時期を選択するためのメニューである。選択できる時期は任意であり、一定期間前から現在まで、過去における一定期間等が指定できる。また、キーワード入力フォーム３６は、検索キーワードを入力するためのフォームである。
図５に示すように、広告価値メニュー３７は、広告価値に基づいて検索される情報を限定するためのメニューである。サイトジャンルボタン３８は、予め選定しておいたリストに基づいて、検索対象サイトを限定するためのボタンである。
図５に示すように、同一記事省略ボタン３９は、ある通信社が各地方紙へ同一タイトルの記事を配信した場合に、各地方紙への配信記事を検索対象から除外し一つに絞るためのボタンである。
また、図５に示すように、ニュアンス選択ボタン４０は、ニュアンスに基づいて検索される情報を限定するためのボタンである。
【００６７】
本実施の形態に係る検索サーバー１４は、コンピューターとして構成されている。図示しないが、検索サーバー１４は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ハードディスクドライブ（ｈａｒｄ  Ｄｉｓｃ  Ｄｒｉｖｅ）、インターネット１３に接続するための通信制御手段、キーボード、マウス等の入力手段、プリンタ、モニター等の出力手段をバスで接続して構成されている。
本実施の形態に係るデータベース１９は、ハードディスクドライブ内に構築してもよいし、外部の記憶媒体に構築することもできる。
【００６８】
本実施の形態に係る検索サーバー１４は、本発明の実施形態に係る検索情報配信プログラムを、ＲＡＭをワークエリアとしてＣＰＵで実行することにより本実施の形態に係る各機能を実現する。
【００６９】
（２）本実施の形態に係る検索情報配信システムの処理の流れ
図４に示すように、本実施の形態に係る検索情報配信システム１０は以下の工程に従って処理を行う。まず、検索対象格納手段２６によってインターネット１３に接続された複数のウェブサイト１１、１１・・・の中から予め選定した分野、例えばニュースに関する報道機関のウェブサイトを検索対象サイト１１ａ、１１ａ・・・として選定し、検索対象サイト１１ａ、１１ａ・・・のドキュメントルートのＵＲＬを、データベース１９内の検索対象格納ファイル２３に格納する（Ｓ１）。
これにより、巡回対象となる検索対象サイトが選択され、不必要な情報収集のために使用される無駄な時間や、ノイズ情報の収集がなくなり、高精度となる。
【００７０】
次いで、抽出した検索対象サイト１１ａ、１１ａ・・・のサイト構造をサイト構造解析手段２７で解析し、各検索対象サイト１１ａ、１１ａ・・・のサイト構造を把握する（Ｓ２）。
この状態で、検索対象更新手段２０によって、各検索対象サイト１１ａ、１１ａ・・・のサイト構造に基づいて取得された各検索対象サイト１１ａ、１１ａ・・・に含まれるウェブページのＵＲＬをデータベース１９内の検索対象格納ファイル２３に格納する（Ｓ３）。
これにより、巡回対象となる検索対象サイトに含まれるウェブページを把握することができ、次に巡回する際にサイト構造の解析時間を短縮することができる。
【００７１】
次いで、サイト情報取得手段２８によって各検索対象サイト１１ａ、１１ａ・・・を定期的、あるいは順次巡回し、各検索対象サイト１１ａ、１１ａ・・・に記述されたサイト情報を取得する（Ｓ４）。
その後、サイト情報格納手段２９によって、取得されたサイト情報をデータベース１９内の取得情報格納ファイル２４に検索可能に格納する（Ｓ５）。
【００７２】
ここで、ユーザー端末１２、１２・・・において、キーワード入力手段１５によって検索キーワードと検索重み付けパラメータとが入力されることにより、情報配信の要求があった場合には、ユーザー端末接続手段２２がユーザー端末１２と検索サーバー１４とを接続し、キーワード送信手段１６によって検索キーワードと検索重み付けパラメータとがユーザー端末１２、１２・・・から検索サーバーに送信される。
その後、検索キーワード格納手段３０によって検索キーワードと検索重み付けパラメータとがデータベース１９内の検索キーワード格納ファイル２５に格納される。
次いで、情報抽出手段３１によって、検索キーワード格納ファイル２５に格納された検索キーワードに関連する情報を、取得情報格納ファイル２４を検索して抽出する。
特に、本実施の形態に係る情報抽出手段３１は、取得情報格納ファイル２４内において、検索キーワードに対応する語句を含むサイト情報のうち、当該語句の出現回数と、検索キーワード格納ファイル２５に格納された検索重み付けパラメータとを比較する。
その結果、当該語句の出現回数が検索重み付けパラメータ以上の値を有している場合に限り、当該情報を抽出する（Ｓ６）。
これにより、たとえ検索キーワードが使用されていても、検索キーワードの出現回数が少なく重要性が低いと判断されるサイト情報が抽出されなくなるので、検索キーワードの出現回数が多く重要性が高いと判断されるサイト情報のみを抽出することができる。
【００７３】
最後に、情報配信手段３２によって、抽出された情報を、ユーザー端末接続手段２２を介して、ユーザー端末１２、１２・・・に配信する（Ｓ７）。
このとき、ユーザー端末１２は、情報を取得するタイミングを選択することができる。例えば、ユーザー端末１２は、検索キーワードを入力した直後に検索キーワードに関連する情報を配信するように検索サーバー１４に要求することで、リアルタイムの検索が可能となる。
また、一方で、ユーザー端末１２は、検索キーワードの入力のみを行い、所定の時間毎に検索キーワードに関連する情報を配信するように検索サーバー１４に要求することもできる。例えば、ユーザー端末１２から１時間毎に配信するように要求した場合には、検索キーワードに関連する最新の情報を定期的に入手することができる。
【００７４】
ここで、広告価値に基づいて情報を抽出する場合には、図４中、Ｓ５まで処理した後に、Ｓ６に代えて以下の処理を行なう。
ユーザー端末１２、１２・・・において、キーワード入力手段１５によって検索キーワードと広告価値パラメータとが入力されることにより、情報配信の要求があった場合には、ユーザー端末接続手段２２がユーザー端末１２と検索サーバー１４とを接続し、キーワード送信手段１６によって検索キーワードと広告価値パラメータとがユーザー端末１２、１２・・・から検索サーバーに送信され、その後、検索キーワード格納手段３０によって検索キーワードと広告価値パラメータとがデータベース１９内の検索キーワード格納ファイル２５に格納される。
次いで、広告価値評価手段３３によって、検索キーワード格納ファイル２３に格納された検索キーワードに対応する語句が出現するサイト情報の広告価値が評価される。
さらに、情報抽出手段３１によって、検索キーワード格納ファイル２５に格納された検索キーワードに関連する情報を、取得情報格納ファイル２４を検索して抽出する。
特に、本実施の形態に係る情報抽出手段３１は、取得情報格納ファイル２４内において、検索キーワードに対応する語句が出現するサイト情報の広告価値と、検索キーワード格納ファイル２５に格納された広告価値パラメータとを比較する。
その結果、当該サイト情報の広告価値が広告価値パラメータ以上の値を有している場合に限り、当該情報を抽出する。
これにより、検索キーワードに関連する情報の内、サイト情報の広告価値が高い、すなわち記事への信頼性が高い情報のみを抽出することができる。
【００７５】
ここで、ニュアンスに基づいて情報を抽出する場合には、図４中、Ｓ５まで処理した後に、Ｓ６に代えて以下の処理を行なう。
ユーザー端末１２、１２・・・において、キーワード入力手段１５によって検索キーワードとニュアンスパラメータとが入力されることにより、情報配信の要求があった場合には、ユーザー端末接続手段２２がユーザー端末１２と検索サーバー１４とを接続し、キーワード送信手段１６によって検索キーワードとニュアンスパラメータとがユーザー端末１２、１２・・・から検索サーバーに送信され、その後、検索キーワード格納手段３０によって検索キーワードとニュアンスパラメータとがデータベース１９内の検索キーワード格納ファイル２５に格納される。
次いで、ニュアンス評価手段３４によって、検索キーワード格納ファイル２３に格納された検索キーワードに対応する語句が出現するサイト情報のニュアンスが評価される。
さらに、情報抽出手段３１によって、検索キーワード格納ファイル２５に格納された検索キーワードに関連する情報を、取得情報格納ファイル２４を検索して抽出する。
特に、本実施の形態に係る情報抽出手段３１は、取得情報格納ファイル２４内において、検索キーワードに対応する語句が出現するサイト情報のニュアンスと、検索キーワード格納ファイル２５に格納されたニュアンスパラメータとを比較する。
その結果、当該サイト情報のニュアンスがニュアンスパラメータ以下の値を有している場合に限り、当該情報を抽出する。
これにより、例えば、ある特定の「会社名」を検索キーワードとして入力した場合には、ウェブサイトに記載されたその会社に関する評判等の情報の内、ニュアンスの低い情報のみを抽出することができる。
【００７６】
また、期間を限定して情報を抽出する場合には、図４中、Ｓ５まで処理した後に、Ｓ６に代えて以下の処理を行なう。
ユーザー端末１２、１２・・・において、キーワード入力手段１５によって検索キーワードと検索期間パラメータとが入力されることにより、情報配信の要求があった場合には、ユーザー端末接続手段２２がユーザー端末１２と検索サーバー１４とを接続し、キーワード送信手段１６によって検索キーワードと検索期間パラメータとがユーザー端末１２、１２・・・から検索サーバーに送信され、その後、検索キーワード格納手段３０によって検索キーワードとニュアンスパラメータとがデータベース１９内の検索キーワード格納ファイル２５に格納される。
さらに、情報抽出手段３１によって、検索キーワード格納ファイル２５に格納された検索キーワードに関連する情報を、取得情報格納ファイル２４を検索して抽出する。
特に、本実施の形態に係る情報抽出手段３１は、取得情報格納ファイル２４内において、検索キーワードに対応する語句が出現するサイト情報を取得したタイムスタンプと、検索キーワード格納ファイル２５に格納された検索期間パラメータとを比較する。
その結果、当該サイト情報を取得したタイムスタンプが検索期間パラメータ内の値を有している場合に限り、当該情報を抽出する。これにより、特定の期間に限定して検索することができる。
【００７７】
（３）本実施の形態に係る検索情報配信システムの効果
図１及び図２に示すように、本実施の形態に係る検索情報配信システム１０にあっては、複数のウェブサイト１１、１１・・・の中から予め選定した分野に適合したウェブサイトを検索対象サイト１１ａ、１１ａ・・・として検索対象格納ファイル２３に格納した場合には、検索サーバー１４は、検索対象格納ファイル２３に格納された検索対象サイト１１ａ、１１ａ・・・に基づいて、各検索対象サイト１１ａ、１１ａ・・・のサイト構造を解析し、各検索対象サイト１１ａ、１１ａ・・・を巡回し、解析したサイト構造に基づいて各検索対象サイト１１ａ、１１ａ・・・に記述されたサイト情報を取得し、各検索対象サイト１１ａ、１１ａ・・・から取得したサイト情報に含まれる語句が、語句重み付けパラメータと共に、取得情報格納ファイル２４に格納されるので、各検索対象サイト１１ａ、１１ａ・・・に記述されたサイト情報を予め検索サーバー１４の取得情報格納ファイル２４に格納しておくことができる。
その後、検索キーワードと検索重み付けパラメータとを検索キーワード格納ファイル２５に格納した場合には、検索キーワード格納ファイル２５に格納された検索キーワードに対応する語句を含むサイト情報のうち、語句重み付けパラメータが検索重み付けパラメータ以上である場合に、検索キーワードに関連するサイト情報が、取得情報格納ファイル２４に格納されたサイト情報から抽出されるので、複数のウェブサイト１１、１１・・・の中から予め選定した分野に適合したウェブサイトに限定すると共に、語句重み付けパラメータが検索重み付けパラメータ以上のウェブサイトに限定して検索することができる。
従って、従来の一般の検索エンジンにあっては、無関係なウェブサイトを大量に検索結果に表示してしまうため、ユーザーはその検索結果からさらに精査をして、必要な情報を選別しなければならないという事態を生じていたのに対し、本実施の形態に係る検索情報配信システム１０にあっては、前記事態を生じることがなく、その結果、有益な情報を正確かつ迅速に得ることができる。
また、検索キーワードに関連する情報は、検索サーバー１４に格納された取得情報格納ファイル２４に格納された情報から抽出されるので、検索する毎に各検索対象サイト１１ａ、１１ａ・・・を巡回する必要がなく、有益な情報をさらに迅速に得ることができる。
特に、語句重み付けパラメータが検索重み付けパラメータ以上のウェブサイトに限定して検索することができるので、検索キーワードが使用されていても見る必要性の低いサイトを検索の段階で予め排除することができ、その結果、有益な情報をさらに正確に得ることができる。
【００７８】
また、図１及び図２に示すように、本実施の形態に係る検索情報配信システム１０にあっては、ユーザー端末１２、１２・・・から要求した場合には、情報抽出手段３１により抽出されたサイト情報がユーザー端末１２、１２・・・に配信されるので、ユーザーが能動的に検索することなく、検索キーワードに関連する情報を得ることができる。
具体的には、例えば、ある特定の会社の動向を調べるために、当該特定の「会社名」を検索キーワードとして入力した場合には、予め選定した分野に適合したウェブサイト１１ａ、１１ａ・・・に記載された、その会社に関する評判等の最新情報を１時間ごとに自動的に配信することができる。
【００７９】
また、図１及び図２に示すように、本実施の形態に係る検索情報配信システム１０にあっては、検索対象更新手段２０によって、各検索対象サイト１１ａ、１１ａ・・・のサイト構造に基づいて取得された各検索対象サイト１１ａ、１１ａ・・・に含まれるウェブページのＵＲＬが検索対象格納ファイル２３に格納されるので、各検索対象サイト１１ａ、１１ａ・・・のサイト構造を再び解析することなく、サイト情報取得手段２８によって、各検索対象サイト１１ａ、１１ａ・・・に記述されたサイト情報を取得することができる。
また、各検索対象サイト１１ａ、１１ａ・・・のウェブサイトの更新等により、各検索対象サイト１１ａ、１１ａ・・・のサイト構造が変更された場合であっても、検索対象格納ファイル２３に格納されている各検索対象サイト１１ａ、１１ａ・・・のドキュメントルートのＵＲＬに基づいて、再びサイト構造解析手段２７により各検索対象サイト１１ａ、１１ａ・・・のサイト構造が解析され、検索対象更新手段２０によって、変更後の各検索対象サイト１１ａ、１１ａ・・・のサイト構造に基づいて取得された各検索対象サイト１１ａ、１１ａ・・・に含まれるウェブページのＵＲＬが検索対象格納ファイル２３に格納されるので、変更後の各検索対象サイト１１ａ、１１ａ・・・を巡回し、各検索対象サイト１１ａ、１１ａ・・・に記述されたサイト情報を確実に取得することができる。
【００８０】
また、本実施の形態に係る検索情報配信システム１０にあっては、検索対象格納手段２６によって、ニュースの分野に適合した新聞社又は放送局により構成される報道機関のウェブサイトが検索対象サイト１１ａ、１１ａ・・・として検索対象格納ファイル２３に格納されるので、ユーザーは報道機関のウェブサイトに限定して検索することができる。
その結果、本実施の形態に係る検索情報配信システム１０にあっては、大手新聞社、地方新聞社、ニュース配信会社、テレビ会社等により構成される報道機関のウェブサイトに掲載された時事情報に関するニュースを、このような様々なサイトから網羅的に正確かつ迅速に取得することができる。
【００８１】
また、本実施の形態に係る検索情報配信システム１０にあっては、検索キーワードと広告価値パラメータとを検索キーワード格納ファイル２３に格納した場合には、広告価値評価手段３３によって、検索キーワード格納ファイル２３に格納された検索キーワードに対応する語句が出現するサイト情報の広告価値が評価され、情報抽出手段３１によって、検索キーワード格納ファイル２３に格納された検索キーワードに対応する語句が出現するサイト情報の広告価値が広告価値パラメータ以上である場合に、検索キーワードに関連する情報が、取得情報格納ファイル２４に格納されたサイト情報から抽出される。
その結果、検索キーワードに関連する情報の内、サイト情報の広告価値が高い、すなわち記事への信頼性が高い情報に限定して検索することができる。
【００８２】
また、本実施の形態に係る検索情報配信システム１０にあっては、広告価値評価手段３３は、当該情報が表示される検索対象サイト上のページにおける広告料金に基づいて広告価値を定めるので、広告価値を客観的な基準に基づいて評価することができる。
【００８３】
また、本実施の形態に係る検索情報配信システム１０にあっては、検索キーワードとニュアンスパラメータとを検索キーワード格納ファイル２３に格納した場合には、ニュアンス評価手段３４によって、検索キーワード格納ファイル２３に格納された検索キーワードに対応する語句が出現するサイト情報のニュアンスが評価され、情報抽出手段３１によって、検索キーワード格納ファイル２３に格納された検索キーワードに対応する語句が出現するサイト情報のニュアンスがニュアンスパラメータ以下である場合に、検索キーワードに関連する情報が、取得情報格納ファイル２４に格納されたサイト情報から抽出される。
その結果、例えば、ある特定の「会社名」を検索キーワードとして入力した場合には、ウェブサイトに記載されたその会社に関する評判等の情報の内、ニュアンスの低い情報に限定して検索することができる。従って、検索された情報を基にその会社の企業価値やブランディング、リスク管理を行なうことができる。
【００８４】
また、本実施の形態に係る検索情報配信システム１０にあっては、ニュアンス評価手段３４は、過去に蓄積されたビッグデータ及びナレッジマネジメントに基づいて評価するので、ニュアンスを自動的に、かつ、客観的に評価することができる。
【００８５】
また、本実施の形態に係る検索情報配信システム１０にあっては、検索キーワードと検索期間パラメータとを検索キーワード格納ファイル２３に格納した場合には、情報抽出手段３１によって、検索キーワード格納ファイル２３に格納された検索キーワードに対応する語句が出現するサイト情報のタイムスタンプが検索期間パラメータ内である場合に、検索キーワードに関連する情報が、取得情報格納ファイル２４に格納されたサイト情報から抽出されるので、特定の期間に限定して検索することができる。その結果、古い情報やリンク切れの情報を除外して、最新の情報のみを抽出することができ、高い精度で検索することができる。
【００８６】
本実施の形態に係る検索情報配信システム１０にあっては、選定した検索対象サイトとして一般的なニュースを配信する報道機関のウェブサイトである場合を例に説明したが、例えば、産業、芸能、スポーツに関するものとすることや、まとめサイトや、投稿サイト、掲示板サイトにすることもできる。
【産業上の利用可能性】
【００８７】
本発明は、検索サーバー、検索システム、検索情報配信システム、検索プログラム、検索情報配信プログラムに広く適用可能であり、産業上利用可能性を有している。
【符号の説明】
【００８８】
１０…検索情報配信システム
１１…ウェブサイト
１１ａ…検索対象サイト
１２…ユーザー端末
１３…インターネット
１４…検索サーバー
１５…キーワード入力手段
１６…キーワード送信手段
１７…情報取得部
１８…情報検索部
１９…データベース
２０…検索対象更新手段
２１…ウェブサイト接続手段
２２…ユーザー端末接続手段
２３…検索対象格納ファイル
２４…取得情報格納ファイル
２５…検索キーワード格納ファイル
２６…検索対象格納手段
２７…サイト構造解析手段
２８…サイト情報取得手段
２９…サイト情報格納手段
３０…検索キーワード格納手段
３１…情報抽出手段
３２…情報配信手段
３３…広告価値評価手段
３４…ニュアンス評価手段
３５…期間選択メニュー
３６…キーワード入力フォーム
３７…広告価値メニュー
３８…サイトジャンルボタン
３９…同一記事省略ボタン
４０…ニュアンス選択ボタン
【図１】
0006510452.tif 000002
【図２】
0006510452.tif 000003
【図３】
0006510452.tif 000004
【図４】
0006510452.tif 000005
【図５】
0006510452.tif 000006